(57)【要約】【課題】  質量の増大がなく、部材点数の増大や組立て工程の複雑化がなく、旧来のケーブル切断工具に比して小さい力で容易にケーブル切断ができるケーブル切断工具の提供。【解決手段】  枢軸５によって連結された左右一対の操作ハンドル１，２と、該ハンドルの遠近操作によって開閉する一対のケーブル切断刃体３，４とを備え、前記枢軸５とは別の第２軸７が一方のハンドルの握り部方向に変位して設けられ、枢軸５の嵌合用軸穴６とは別の第２軸穴８が、他方のハンドルの握り部方向に変位して形成され、該第２軸穴８が軸穴６の一端部６ａを軸点として所要移動を許容する空間８ｂを備え、軸穴６が、第２軸穴８の一端部８ａを軸点として枢軸５の所要移動を許容する空間６ｂを備え、これら軸穴６の一端部６ａと第２軸穴８の一端部８ａとの二つの軸点が、連続した単一のハンドル操作内で自動的に切り替わってケーブル切断が行われる構造としたもの。【選択図】        図６
2010136821.tif 000002
【特許請求の範囲】
【請求項１】
枢軸(5)によって厚さ方向に連結された左右一対の操作ハンドル(1，2)と、該操作ハンドル(1，2)の相対遠近操作によって開閉する一対のケーブル切断刃体(3，4)とを備えたケーブル切断工具であって、
前記枢軸(5)とは別の第２軸(7)が何れか一方の操作ハンドル(1，2)の握り部方向に変位して設けられ、
前記枢軸(5)の嵌合用軸穴(6)とは別の第２軸穴(8)が何れか他方の操作ハンドル(2，1)の握り部方向に変位して形成され、
該第２軸穴(8)が、前記軸穴(6)の一端部(6a)を軸点として第２軸(7)の所要移動を許容する空間(8b)を備えた穴に形成され、
前記軸穴(6)が、該第２軸穴(8)の一端部(8a)を軸点として枢軸(5)の所要移動を許容する空間(6b)を備えた穴に形成され、
これら軸穴(6)の一端部(6a)と第２軸穴(8)の一端部(8a)との二つの軸点が、連続した単一のハンドル操作内で自動的に切り替わってケーブル切断が行われる構造としてある
手動操作用のケーブル切断工具。
【請求項２】
軸穴(6)が短尺の長穴で、第２軸穴(8)が軸穴(6)の一端部(6a)を基点とした弧状の長穴としてある請求項１に記載の手動操作用のケーブル切断工具。
【発明の詳細な説明】
【技術分野】
【０００１】
本発明は、多数の銅線を集束した比較的太い被覆電線の他、鉄筋ワイヤーロープ等を手動で切断するのに適した手動操作用のケーブル切断工具に関するものである。
【背景技術】
【０００２】
従来から、動力線やビル内引き込み幹線等の配線工事に当たって、太い線径の被覆電線を切断する必要性は大いに存在する。このような太い線径の被覆電線を切断する手段としては、大別すると、モータ等の動力源を利用して回転切断刃によって切断する機械切断方式、例えば特開平９−１５５６２９号公報に見られるような押し切り切断装置を床面上に載置固定して、押し切りレバーを押し下げることによって切断する押し切り方式、ペンチやプライヤーのように片手または両手で、２本のレバーを握り締めて切断する手持ち切断方式に大別することができる。
【０００３】
本発明にいうケーブル切断工具は、これらの各方式のうち、手持ち切断方式の切断工具に含まれ、それらの中でも、両手を使って切断する大形の切断工具や、ペンチのように片手で持って片手で切断操作ができる手動工具に関するものである。
【０００４】
ここにいう配線工事現場等におけるケーブル切断操作では、両手を使って切断操作しなければならない場合も当然存在するが、従来両手切断が必要であった太径ケーブル等を、片手持ち片手操作の手動切断方式で切断可能とすることは、作業の簡素化と作業効率の向上や迅速化、簡便化を図り得る点で大なる利点がある。しかしながら、当初に記載の大形電線を両手切断工具や片手切断工具によって切断するためには、切断工具そのものに何らかの工夫を講じる必要性がある。
【０００５】
このことを解決するための手段として、切断力を増大させるための倍力機構を切断工具に組み込んだ構造としたものや、倍力機構として知られたトグル機構を切断工具に組み込んだ構造としたもの等が、次の特許文献１、２に見られるように公知になっている。
【特許文献１】特開平８−２７６０７９号公報
【特許文献２】特開２００７−１４３６８０号公報
【発明の開示】
【発明が解決しようとする課題】
【０００６】
前者の特許文献１に記載の倍力機構を組み込んだケーブルカッターは、一方の操作ハンドル(把持レバー２)にへの字形のコロ支持桿(２７)を設け、他方の操作ハンドル(把持レバー３)に２枚のスライド軸受(１８)を固定し、コロ支持桿の下端部分に装着させた転動コロ(２０)をスライド軸受に形成した軸受孔(１８ａ)に嵌めて転動させることによって、切断力を増大させる構造としたものである。このような倍力機構をカッター工具に装着させることによってケーブルの切断力を増大させるものである。
【０００７】
また、後者の特許文献２に記載の手動切断具は、左右一対の切断刃板(１，２)と、左右一対の操作ハンドル(３，４)とを、それぞれ別部材として形成し、それぞれの切断刃体を操作ハンドル側に向かって延長させ、その終端部をそれぞれ外向きのＬ字形に屈曲させ、その屈曲先端(１２，２２)部分を、それぞれの操作ハンドルに設けた第１，第２リンク片(５１，６１)に軸連結させることによってトグル機構を構成させてある構造としたものである。このように左右一対としたトグル機構によってケーブルの切断力を増大させるようにしたものである。
【０００８】
これらの特許文献１，２に記載の先行技術は、何れもケーブルの切断力を増大するための手段として、一般に知られた倍力機構を工具に装着させるものである。即ち、倍力機構を構成するための特別な部材を工具本体に取り付けるものである。そのため、工具全体の質量が増大し、部材点数が増大し、組立て工程が複雑化するという新たな課題を有するものとなっていて、ケーブル切断工具としては決して好ましい技術解決手段ではない。
【０００９】
そこで、本発明はこのような先行技術のケーブルカッターやケーブル切断工具が有している課題を根本的に解決するものであって、旧来から存する工具と対比しても、工具全体の質量が増大することなく、部材点数の増大や組立て工程の複雑化を招くこともなく、しかも、旧来から知られた一般的なケーブル切断工具と対比したとき、より小さい力で容易にケーブル切断ができるケーブル切断工具を開発したものである。
【課題を解決するための手段】
【００１０】
該目的を達成するために講じた本発明にいうところの請求項１に記載のケーブル切断工具の構成を、実施例において使用した符号を用いて説明すると、枢軸５によって厚さ方向に連結された左右一対の操作ハンドル１，２と、該操作ハンドル１，２の相対遠近操作によって開閉する一対のケーブル切断刃体３，４とを備えたケーブル切断工具であって、前記枢軸５とは別の第２軸７が、何れか一方の操作ハンドル１，２の握り部方向に変位して設けられ、前記枢軸５の嵌合用軸穴６とは別の第２軸穴８が、何れか他方の操作ハンドル２，１の握り部方向に変位して形成され、該第２軸穴８が、前記軸穴６の一端部６ａを軸点として第２軸７の所要移動を許容する空間８ｂを備えた穴に形成され、前記軸穴６が、該第２軸穴８の一端部８ａを軸点として枢軸５の所要移動を許容する空間６ｂを備えた穴に形成され、これら軸穴６の一端部６ａと第２軸穴８の一端部８ａとの二つの軸点が、連続した単一のハンドル操作内で自動的に切り替わってケーブル切断が行われる構造としたものである。
【００１１】
また、請求項２に記載の構成は、請求項１に記載のケーブル切断工具における軸穴６が短尺の長穴で、第２軸穴８が軸穴６の一端部６ａを基点とした弧状の長穴としてある構造としたものである。
【発明の効果】
【００１２】
以上のように本発明は、左右一対の操作ハンドルと、このハンドル操作によって開閉するケーブル切断刃体とを枢軸で枢着し、この枢軸とは別の第２軸を一方の操作ハンドルの握り部方向に設けてあるものとし、枢軸用の軸穴とは別の第２軸穴を、他方の操作ハンドルの握り部方向に変位して形成してあるものとし、第２軸穴が、軸穴の一端部を軸点として第２軸７の所要移動を許容する空間８ｂを備えた穴とされ、軸穴が第２軸穴の一端部を軸点として枢軸５の所要移動を許容する空間６ｂを備えた穴とされていて、これら軸穴の一端部と第２軸穴の一端部との二つの軸点が、ケーブル切断時における連続した単一操作内で自動的に切り替わってケーブル切断が行われるようにしたものであるから、切断初期において操作ハンドルを大きく拡開することなく切断操作を開始でき、片手操作用工具の場合は握り可能な範囲内に開いて切断操作を開始でき、最も高い切断力を必要とするケーブル中心点での切断圧を最も切断力を発揮し易いハンドル角度の中間点近くで行うことができ、この最高切断圧力の必要時点を過ぎた後の、低圧力でも切断可能な状態に至った時点で、それまで切断刃体に近接して設定してあった枢軸を軸点としていた切断軸が、この枢軸よりも刃体から離れた位置に形成されている第２軸へ軸点が自動的に移行し、以後はこの第２軸を回動軸として刃体が閉止方向に大きく移動してケーブルの未切断部分を切断することとなる。
【００１３】
このように本発明のケーブル切断工具は、工具全体の質量を増大させることなく、部材の点数や組立て工程の増大や複雑化を招くことなく、ケーブルの切断初期において両手または片手で握り易い開き角で切断を開始でき、最も高切断圧を必要とするケーブルの中間部近くの切断時には、両手を肩幅近くに広げた状態での最高圧力や、最も高握力を発揮し易いハンドル角で切断操作をすることができ、大きな切断圧力を必要とする箇所を過ぎ、大切断圧を必要としなくなった最終切断時点近くの箇所に至ると、第２軸を回動軸としたハンドルの小角度の縮小操作によって切断刃を閉塞方向に大きく移動させて、ケーブルの切断を終了させることができるという顕著な効果を期待することができるに至ったのである。
【００１４】
本発明は、このケーブル切断操作の最終操作段階において、ハンドル間の縮小操作角を小さくしても切断刃を閉塞方向に大きく移動させることができるようにしたものであるから、切断初期のハンドル開き角を握り締め可能な角度に小さくして切断開始操作をすることができるに至ったのである。このことは、切断刃体に近接して設けた枢軸とは別に、第２軸を設けて、この軸を枢軸よりも切断刃体から離れた箇所に設定してあることによるものである。
【発明を実施するための最良の形態】
【００１５】
本発明は上記の構成としたものであるから、その実施に当たっては、請求項２に記載のように、軸穴６を第２軸穴８の一端部８ａを軸点とした長穴または弧状穴に形成し、第２軸穴８を軸穴６の一端部６ａを基点とした弧状の長穴として実施すれば、ハンドルの円滑な開閉操作ができる工具とすることができる。なお、これらの長穴は、枢軸５または第２軸７を基点とした操作の間、他方の第２軸７または枢軸５が遊動する空間を備えたものであればよく、その形状そのものは特定されるものではない。また、便宜上「穴」と表現しているが、一端がハンドルの外周面に開放されている切込みであっても差支えない。
【実施例】
【００１６】
以下本発明の主たる実施例について図面に基づいて説明する。図１は本発明の切断工具全体の不使用状態を示す平面図、図２は同ハンドル全開状態を示す平面図、図３は同中間閉止状態を示す平面図、図４は同閉止直前状態を示す平面図、図５は一方の切断刃体部分の拡大平面図、図６は軸穴部分の説明用拡大平面図、図７は切断刃体とケーブルとの関係を説明する部分平面図である。
【００１７】
該図面に示したケーブル切断工具は、細径の被覆電線の切断が可能であることは当然のこととして、図７の説明図に示したような、導体が軟銅・アルミ線を集束したＩＶ・ＣＶ線であって、片手持ち切断用工具の場合は、例えば３８〜８０ｍ２程度の線を、両手切断用工具の場合はそれ以上、例えば１００〜５００ｍ２程度の太径の被覆電線Ｃを切断することができる工具である。このような太径電線の切断は、従来の片手操作用の切断工具や両手切断用工具では容易に切断することはできにくいものであったが、配線工事現場にあっては、その必要頻度は結構高いものである。
【００１８】
本実施例に示したケーブル切断工具は、このような配線現場での使用に適した工具であって、図１〜５に示したように、一般的なケーブル切断工具と同様に、左右一対の操作ハンドル１，２と、これらの操作ハンドル１，２の相対遠近方向の開閉操作によって、これらの操作ハンドル１，２の上端部に一体的に形成された一対のケーブル切断刃体３，４が開閉するように、これらの刃体３，４の直近部分で平面視Ｘ字状となるように、厚さ方向に枢軸５で枢着連結されたペンチ形の工具である。
【００１９】
この工具の一般的なペンチ形工具と異なる点は、操作ハンドルを連結した枢軸５とは別に第２軸７を備えていることと、これらの両軸５，７が何れも移動軸であって両軸５，７の移動の許容と支点作用とを果たすための二つの軸穴６，８を備えていることとにある。
【００２０】
具体的には、何れか一方の操作ハンドル、即ち実施例図１の左側の操作ハンドル２に、その握り部方向側に変位して、即ち、図１における下側方向に変位して、前記第２軸７が設けられ、この枢軸５の嵌合用軸穴６とは別に、何れか他方の操作ハンドル、即ち、図１における右側の操作ハンドル１に、その握り部方向側に変位して、前記第２軸穴８が形成されている。なお、図４に示した符号９は連結ピン、符号１０はストッパーである。
【００２１】
これらの両穴６，８は、図５に示した通りに形成されているものであって、これを拡大して示した図６によって説明すると、前記第２軸穴８にあっては、前記軸穴６の一端部６ａを回動軸点とした弧状の長穴に形成され、同様に、前記軸穴６にあっては、第２軸穴８の一端部８ａを回動軸点とした短い長穴に形成されている。これらの両長穴のうち、第２軸穴８を弧状の長穴としてあるのは、枢軸５が、軸穴６の一端部６ａを軸点として電線の切断開始期から切断終期近くまでに至る間、第２軸７が移動する必要があるためであり、これとは逆に、前記軸穴６を短い長穴に形成してあるのは、第２軸穴８の一端部８ａを回動軸点としたケーブル切断操作に伴って、切断最終近くの段階から切断終了に至るまでの間、枢軸５が移動する必要があるためである。
【００２２】
この切断最終段階では、既に最大負荷点を過ぎて切断負荷が小さくなっているので、第２軸７の回動軸点が切断刃部から遠ざかった箇所であっても切断可能であり、この回動軸点が遠ざかっていることによって、切断刃部の切断方向への移動量を大きくとることができる。
【００２３】
このようにして、切断当初から切断終了近く部分までを、切断刃体３，４に近接させた軸穴６の一端部６ａを回動軸点として行い、切断終了近く部分から切断完了までを切断刃体３，４から離れた第２軸穴８の一端部８ａを回動軸点として、これら二つの軸点が、連続した単一の切断操作内で自動的に切り替わってケーブルの切断が行われるようにしたものである。したがって、従来のケーブル切断工具では切断が困難であった太いケーブルであっても片手切断や両手による切断が可能となったのである。
【００２４】
この切断過程を図７に示した説明図によって説明する。この説明図では説明の便宜上、左側の切断刃体３は、切断刃３ａで被覆電線Ｃを受け止めた状態のままで、右側の切断刃体４が専ら切断作用をする状態として示してあるが、実際の切断作用は左右の両刃体３，４で同時に行われることは言うまでもない。而して、切断当初は図２に示した被覆電線Ｃを左側の切断刃体３で受け止めた切断開始位置から、図７の中間切断箇所ａに至り、続いて最高抵抗箇所ｂを経て切断終了直前箇所ｃに至る。この切断当初箇所から切断終了直前箇所ｃまでを、切断刃３ａ，４ａに最も近接させて形成してある軸穴６の一端部６ａを回動軸点として刃体が扇形移動し電線が切断される。
【００２５】
この動作中、第２軸穴８内を弧状に移動していた第２軸７が第２軸穴８の一端部８ａに接当しそれ以降の移動が阻止される。そこで、ハンドル部１，２の更なる閉止方向への挟持圧によって、切断刃体３，４から離れた箇所に形成された第２軸穴８の一端部８ａに位置する第２軸７に回動軸点が移行し、切断終了近く部分から切断完了までの間をこの第２軸７を回動軸点として切断される。このとき、第２軸７を回動軸点として切断刃体３，４を大きく移動させて切断操作を完了させることができるので、切断当初におけるハンドル部１，２の開き角を小さくすることができ、最高切断圧を必要とする電線中間部分の切断時に片手持ち切断用工具の場合は挟持握力を大きく発揮し易い開き角に合わせることができ、両手切断用工具の場合は肩幅近くの最も挟持握力を出し易いハンドル開き角に合わせることができることとなる。
【００２６】
なお、該実施例では、切断刃体３，４部分をハンドル部１，２と別体として形成し、切断刃体３，４部分をハンドル部１，２の上端部にネジ連結した構造として示してある。しかしながら、これらの切断刃体３，４部分とハンドル部１，２とを一体的に形成してあるものとして実施しても良いことは言うまでもない。
【００２７】
また、これらの切断刃体３，４における切断刃３ａ，４ａの形状についても、該実施例では一方の切断刃３ａを大きく凹入した円弧状とし、電線を枢軸５側に向けて抱き込ませる形状とし、他方の切断刃４ａを直線状刃縁のものとして示してあるが、この形状についても、一方の切断刃３ａは電線を保持させて抱き込ませ易くするための凹入円弧状としてあることが好ましいが、例えば他方の切断刃４ａも凹入円弧状としたり、小さな凹入弧状としたり、小さな突出弧状としてあるものとして実施することができる。
【００２８】
なお、本明細書にいうところの片手持ち切断用工具の場合は全長２００〜３００ｍｍ程度のものが好ましく、両手切断用工具の場合はそれ以上の大きさ、例えば４００ｍｍ以上８００ｍｍ程度のものがある。
【００２９】
図８および図９はそれぞれ切断刃体３（または４）に形成した軸穴６と第２軸穴８との変形例について示したものであって、図８は、第２軸穴８の形状を一端部８ａを軸点とした扇形に形成したものである。また、図９は軸穴６の軸点側の一端部６ａと、第２軸穴８の軸点側の一端部８ａとをそれぞれ角形に形成し、軸５，７にかかる圧力を外側面６ｃ，８ｃで受けるようにした変形例であり、強度面において好ましい形状ではないが、第２軸穴８の遊端側８ｄを刃体３の外周面に開放した切込み穴に形成してある変形例を示したものである。本発明にいうところの軸穴６，８はこのように変形させて実施することもできるのである。
【００３０】
以上本発明の代表的と思われる実施例について説明したが、本発明は必ずしも前記実施例に示した構造のみに限定されるものではなく、本発明にいうところの構成要件を備え、本発明にいう目的を達成し、かつ、効果を有する範囲内において適宜改変して実施することができるものである。
【産業上の利用可能性】
【００３１】
本発明にいうところのケーブル切断工具は、従来の切断工具では切断が困難であった太径の電線ケーブルを、作業現場において簡易・迅速に切断できるので、市場に提供すると大いに受け入れられ重宝に使用されるものと思われる。
【図面の簡単な説明】
【００３２】
【図１】本発明の切断工具全体の不使用状態を示す平面図。
【図２】同ハンドル全開状態を示す平面図。
【図３】同中間閉止状態を示す平面図。
【図４】同閉止直前状態を示す平面図。
【図５】一方の切断刃体部分の拡大平面図。
【図６】軸穴部分の説明用拡大平面図。
【図７】切断刃体とケーブルとの関係を説明する部分平面図。
【図８】第２軸穴の変形例を示した図５相当の平面図。
【図９】軸穴と第２軸穴の変形例を示した図５相当の平面図。
【符号の説明】
【００３３】
１  操作ハンドル
２  操作ハンドル
３  ケーブル切断刃体
４  ケーブル切断刃体
５  枢軸
６  軸穴
６ａ  軸穴の一端部
７  第２軸
８  第２軸穴
８ａ  第２軸穴の一端部
【図１】
2010136821.tif 000003
【図２】
2010136821.tif 000004
【図３】
2010136821.tif 000005
【図４】
2010136821.tif 000006
【図５】
2010136821.tif 000007
【図６】
2010136821.tif 000008
【図７】
2010136821.tif 000009
【図８】
2010136821.tif 000010
【図９】
2010136821.tif 000011